(57)【要約】【課題】携帯端末機の共用移動体通信システム間の移行に伴う位置登録トラヒックを抑制する携帯端末機を提供する。【解決手段】電波で形成されるエリア２２〜４０の一部が重複した第１及び第２の移動体通信システム間で待ち受けチャネルを選択しながら通信を行う場合に、携帯端末機１０の記憶部１８に位置登録を行った移動体通信システムの周波数帯域を記憶し、制御部１６で、待ち受けチャネルの選択時に、記憶部１８に最終位置登録時に記憶された移動体通信システムの周波数帯域を検出し、この検出周波数帯域の移動体通信システムの待ち受けチャネルを優先的に選択する。【選択図】図１
2006050675.tif 000002
【特許請求の範囲】
【請求項１】
複数の移動体通信システムがそれぞれに形成するエリアの重なり部分で、前記複数の移動体通信システム間で待ち受けチャネルを選択しながら通信を行う携帯端末機であって、
基地局との間で無線による信号の送受信を行う無線手段と、
前記重なり部分において前記無線手段で受信された信号が待ち受けエリアの変更を示唆することを判別する信号判別手段と、
位置登録を行った移動体通信システムの周波数帯域を記憶する記憶手段と、
前記記憶手段が周波数帯域を記憶した後に、前記信号判別手段が待ち受けエリアの変更の示唆を判別した場合に、前記待ち受けチャネルの選択時に、前記記憶手段に最終位置登録時に記憶された移動体通信システムの周波数帯域を検出し、検出した周波数帯域の移動体通信システムの待ち受けチャネルを優先的に選択する制御手段と
を備えたことを特徴とする携帯端末機。
【請求項２】
前記複数の移動体通信システムは、異なる周波数帯域を使用し且つ同一通信方式を採用する小ゾーン構成移動体通信システムであることを特徴とする請求項１に記載の携帯端末機。
【請求項３】
前記複数の移動体通信システムは、異なる周波数帯域を使用し且つ異なる通信方式を採用する小ゾーン構成移動体通信システムであることを特徴とする請求項１に記載の携帯端末機。
【請求項４】
複数の移動体通信システムがそれぞれに形成するエリアの重なり部分で、前記複数の移動体通信システム間で待ち受けチャネルを携帯端末機で選択しながら通信を行う共用移動体通信システムの待ち受けチャネル選択方法であって、
位置登録を行った移動体通信システムの周波数帯域を記憶する記憶ステップと、
前記記憶ステップで周波数帯域を記憶した後に、前記重なり部分において前記携帯端末機が待ち受けエリアの変更の示唆を判別した場合に、前記待ち受けチャネルの選択時に、前記記憶ステップにおいて最終位置登録時に記憶された移動体通信システムの周波数帯域を検出し、検出した周波数帯域の移動体通信システムの待ち受けチャネルを優先的に選択する制御ステップと
を備えたことを特徴とする共用移動体通信システムの待ち受けチャネル選択方法。
【請求項５】
複数の移動体通信システムがそれぞれに形成するエリアの重なり部分で、前記複数の移動体通信システム間で待ち受けチャネルを選択しながら携帯端末機に通信を行わせる待ち受けチャネル選択プログラムであって、
コンピュータに、
位置登録を行った移動体通信システムの周波数帯域を記憶する記憶ステップと、
前記記憶ステップで周波数帯域を記憶した後に、前記重なり部分において前記携帯端末機が待ち受けエリアの変更の示唆を判別した場合に、前記待ち受けチャネルの選択時に、前記記憶ステップにおいて最終位置登録時に記憶された移動体通信システムの周波数帯域を検出し、検出した周波数帯域の移動体通信システムの待ち受けチャネルを優先的に選択する制御ステップと
を実行させることを特徴とする待ち受けチャネル選択プログラム。
【請求項６】
請求項５に記載の待ち受けチャネル選択プログラムを記録したことを特徴とするコンピュータ読み取り可能な記録媒体。
【発明の詳細な説明】
【技術分野】
【０００１】
本発明は、異なる周波数帯域を使用し且つ同一又は異なる通信方式を採用する２つの小ゾーン構成移動体通信システムにおいて、通話相手からの信号を受信するための待ち受けチャネルを選択する携帯端末機、共用移動体通信システムの待ち受けチャネル選択方法、待ち受けチャネル選択プログラムおよびコンピュータ読み取り可能な記録媒体に関するものである。
【背景技術】
【０００２】
２つの小ゾーン構成移動体通信システムによるサービスエリアの一部が重なっている場合に、携帯電話機や通信機能及びコンピュータ機能を備えた情報通信端末装置等の携帯端末機が、それらシステム間を移行しながらサービスを受けることが可能な共用移動体通信システムの代表的な例として、現在日本で商用サービスされているディジタル自動車電話方式(Personal Digital Cellular:PDC)の８００ＭＨｚ帯域システムと１．５ＧＨｚ帯域システムがある。ＰＤＣの８００ＭＨｚ帯域システムと１．５ＧＨｚ帯域システムの共用方式を実現する場合、無効な呼出トラヒックを抑えるため、携帯端末機は待ち受けを行うシステムにのみ位置登録を行い、回線網の局は携帯端末機が待ち受けを行うシステムにおいて当該携帯端末機の呼出を行う方法が考えられる。
【０００３】
また、携帯端末機は、待ち受けチャネル選択時に最も受信レベルの高い通信エリアで待ち受けを行うため、終話時には通話していたシステムの待ち受けチャネルを選択し、エリア移行時や電源投入時には、受信レベルが最も高いシステムの待ち受けチャネルを選択するのが一般的である。
【発明の開示】
【発明が解決しようとする課題】
【０００４】
上記従来の共用移動体通信システムにおいては、携帯端末機が通話中にシステムを移行した際のチャネル切り替え実施後に終話した場合や、待ち受け時のエリア移行の際に待ち受けシステムの変更を行った場合、携帯端末機は、その都度新たに待ち受けを行うシステムにおいて位置登録を行う必要がある。システム間の移行が頻発する場合、移行先システムに位置登録を行うためのトラヒック（以降、位置登録トラヒックという）が増大してしまう。
【０００５】
そこで本発明は、携帯端末機の共用移動体通信システム間の移行に伴う位置登録トラヒックを抑制することができる携帯端末機、共用移動体通信システムの待ち受けチャネル選択方法、待ち受けチャネル選択プログラムおよびコンピュータ読み取り可能な記録媒体を提供することを課題とする。
【課題を解決するための手段】
【０００６】
上記課題を解決するために、本発明の携帯端末機は、複数の移動体通信システムがそれぞれに形成するエリアの重なり部分で、上記複数の移動体通信システム間で待ち受けチャネルを選択しながら通信を行う携帯端末機であって、基地局との間で無線による信号の送受信を行う無線手段と、前記重なり部分において上記無線手段で受信された信号が待ち受けエリアの変更を示唆することを判別する信号判別手段と、位置登録を行った移動体通信システムの周波数帯域を記憶する記憶手段と、上記記憶手段が周波数帯域を記憶した後に、上記信号判別手段が待ち受けエリアの変更の示唆を判別した場合に、上記待ち受けチャネルの選択時に、上記記憶手段に最終位置登録時に記憶された移動体通信システムの周波数帯域を検出し、検出した周波数帯域の移動体通信システムの待ち受けチャネルを優先的に選択する制御手段とを備えたことを特徴としている。
【０００７】
通信の終了時や待ち受けエリアの変更時などに実行される待ち受けチャネルの選択を行う場合に、最終位置登録時に記憶された移動体通信システムの待ち受けチャネルを優先的に選択するので、通信の終了時や待ち受けエリアの変更時などの都度、新たに待ち受けを行うシステムに位置登録を行う動作を削減することができる。
【０００８】
また、本発明の携帯端末機においては、上記複数の移動体通信システムは、異なる周波数帯域を使用し且つ同一通信方式を採用する小ゾーン構成移動体通信システムであることが好適である。
【０００９】
異なる周波数帯域を使用し且つ同一通信方式を採用する複数の移動体通信システムにおいても、待ち受けチャネル選択時に、最終位置登録時に記憶された移動体通信システムの待ち受けチャネルを優先的に選択することによって、通信の終了時や待ち受けエリアの変更時などの都度、新たに待ち受けを行うシステムに位置登録を行う動作を削減することができる。
【００１０】
また、本発明の携帯端末機においては、上記複数の移動体通信システムは、異なる周波数帯域を使用し且つ異なる通信方式を採用する小ゾーン構成移動体通信システムであることが好適である。
【００１１】
異なる周波数帯域を使用し且つ異なる通信方式を採用する複数の移動体通信システムにおいても、待ち受けチャネル選択時に、最終位置登録時に記憶された移動体通信システムの待ち受けチャネルを優先的に選択することによって、通信の終了時や待ち受けエリアの変更時などの都度、新たに待ち受けを行うシステムに位置登録を行う動作を削減することができる。
【００１２】
上記課題を解決するために、本発明の共用移動体通信システムの待ち受けチャネル選択方法は、複数の移動体通信システムがそれぞれに形成するエリアの重なり部分で、上記複数の移動体通信システム間で待ち受けチャネルを携帯端末機で選択しながら通信を行う共用移動体通信システムの待ち受けチャネル選択方法であって、位置登録を行った移動体通信システムの周波数帯域を記憶する記憶ステップと、上記記憶ステップで周波数帯域を記憶した後に、前記重なり部分において上記携帯端末機が待ち受けエリアの変更の示唆を判別した場合に、上記待ち受けチャネルの選択時に、上記記憶ステップにおいて最終位置登録時に記憶された移動体通信システムの周波数帯域を検出し、検出した周波数帯域の移動体通信システムの待ち受けチャネルを優先的に選択する制御ステップとを備えたことを特徴としている。
【００１３】
通信の終了時や待ち受けエリアの変更時などに実行される待ち受けチャネルの選択を行う場合に、最終位置登録時に記憶された移動体通信システムの待ち受けチャネルを優先的に選択するので、通信の終了時や待ち受けエリアの変更時などの都度、新たに待ち受けを行うシステムに位置登録を行う動作を削減することができる。
【００１４】
上記課題を解決するために、本発明の待ち受けチャネル選択プログラムは、複数の移動体通信システムがそれぞれに形成するエリアの重なり部分で、上記複数の移動体通信システム間で待ち受けチャネルを選択しながら携帯端末機に通信を行わせる待ち受けチャネル選択プログラムであって、コンピュータに、位置登録を行った移動体通信システムの周波数帯域を記憶する記憶ステップと、上記記憶ステップで周波数帯域を記憶した後に、前記重なり部分において上記携帯端末機が待ち受けエリアの変更の示唆を判別した場合に、上記待ち受けチャネルの選択時に、上記記憶ステップにおいて最終位置登録時に記憶された移動体通信システムの周波数帯域を検出し、検出した周波数帯域の移動体通信システムの待ち受けチャネルを優先的に選択する制御ステップとを実行させることを特徴としている。
【００１５】
携帯端末機における通信の終了時や待ち受けエリアの変更時などに実行される待ち受けチャネルの選択を行う場合に、最終位置登録時に記憶された移動体通信システムの待ち受けチャネルを優先的に選択するので、通信の終了時や待ち受けエリアの変更時などの都度、新たに待ち受けを行うシステムに位置登録を行う動作を削減することができる。
【００１６】
上記課題を解決するために、本発明のコンピュータ読み取り可能な記録媒体は、上記の待ち受けチャネル選択プログラムを記録したことを特徴としている。
【００１７】
当該プログラムをコンピュータに実行させ、携帯端末機における通信の終了時や待ち受けエリアの変更時などに実行される待ち受けチャネルの選択を行う場合に、最終位置登録時に記憶された移動体通信システムの待ち受けチャネルを優先的に選択するので、通信の終了時や待ち受けエリアの変更時などの都度、新たに待ち受けを行うシステムに位置登録を行う動作を削減することができる。
【発明の効果】
【００１８】
本発明によれば、通信の終了時や待ち受けエリアの変更時などに実行される待ち受けチャネルの選択を行う場合に、最終位置登録時に記憶された移動体通信システムの待ち受けチャネルを優先的に選択するので、通信の終了時や待ち受けエリアの変更時などの都度、新たに待ち受けを行うシステムに位置登録を行う動作を削減することができる。その結果、携帯端末機の移動体通信システム間の移行に伴う位置登録トラヒックを抑制することが可能となる。
【発明を実施するための最良の形態】
【００１９】
本発明の実施形態にかかる携帯端末機について図面を参照して説明する。
【００２０】
まず、本実施形態にかかる携帯端末機の構成について説明する。図１は本実施形態にかかる携帯端末機の構成図である。本実施形態にかかる携帯端末機１０は、図１に示すように、無線部１２と、信号判別部１４と、制御部１６と、記憶部１８とを備えて構成される。以下、各構成要素について詳細に説明する。
【００２１】
無線部１２は、図示せぬ基地局との間で無線による信号の送受信を行う。信号判別部１４は、無線部１２で受信された信号が、本携帯端末機１０の通信状態における通信の終了を示す信号や、待ち受け状態における待ち受けエリアの変更を示唆する信号などを判別する。記憶部１８は、共用移動体通信システムにおいて本携帯端末機１０が位置登録を行ったシステムの周波数帯域を記憶する。制御部１６は、信号判別部１４で受信信号が上記通信の終了又は待ち受けエリアの変更を示唆する信号であると判別された際の本携帯端末機１０による新たな待ち受けチャネル選択時に、記憶部１８に最終位置登録時に記憶されたシステムの周波数帯域を検出し、この検出周波数帯域のシステムの待ち受けチャネルを優先的に選択する制御を行うと共に、この選択時の無線部１２の通信制御を行う。
【００２２】
続いて、本実施形態にかかる携帯端末機の動作について説明し、併せて、本発明の実施形態にかかる共用移動体通信システムの待ち受けチャネル選択方法について説明する。図２は、本実施形態にかかる携帯端末機が待ち受けチャネル選択を行う動作を説明するための共用移動体通信システムの構成図である。
【００２３】
この図２に示す共用移動体通信システムは、異なる周波数帯域を使用し、かつ同一又は異なる通信方式を採用する第１及び第２の第１の移動体通信システムから構成されており、波線２０で区分けした上方が第１の移動体通信システム、下方が第２の移動体通信システムである。
【００２４】
第１の移動体通信システムでは、各々個別の基地局（図示せず）の電波によってエリア２２，２４，２６，２８が形成され、第２の移動体通信システムでは、各々個別の基地局（図示せず）の電波によってエリア３０，３２，３４，３６，３８，４０が形成されている。各エリア２２〜４０においては、図の上下の配置関係から分かるように、エリア２２とエリア３０および３２の一部とが重なり、エリア２４とエリア３２，３４双方の一部とが重なり、エリア２６とエリア３６およびエリア３４，３８双方の一部とが重なり、エリア２８とエリア３８，４０双方の一部とが重なっている。携帯端末機は、その重なり部分でチャネルを切り替えることによって何れのシステムでも通信可能なようになっている。
【００２５】
現在、最終位置登録時に第２の移動体通信システムの周波数帯域が記憶部１８に記憶された携帯端末機Ｘが、第２の移動体通信システムにおけるエリア３０内の位置Ｐ２で待ち受け中であるとする。その後、携帯端末機Ｘが位置Ｐ６に移動する過程でエリア３０と３２の境界付近の位置Ｐ４に移動した際に、エリア３０の待ち受けチャネルの受信レベルが適正値未満に劣化したとする。この際、エリア２２および３２の双方の待ち受けチャネルの受信レベルが適正値以上であれば、携帯端末機Ｘでは、エリア２２または３２の待ち受けチャネルに切り替える動作が行われる。
【００２６】
このケースの場合、携帯端末機Ｘでは、信号判別部１４において無線部１２での受信信号が、待ち受け状態における待ち受けエリアの変更を示唆する信号であると判別されるので、制御部１６において、記憶部１８に最終位置登録時に記憶された第２の移動体通信システムの周波数帯域が検出され、この第２の移動体通信システムの待ち受けチャネル、即ちエリア３２の待ち受けチャネルが優先的に選択される。この選択後、携帯端末機Ｘはエリア３２内の位置Ｐ６に移動する。
【００２７】
次に、最終位置登録時に第１の移動体通信システムの周波数帯域が記憶部１８に記憶された携帯端末機Ｙが、エリア２４内の位置Ｐ８において通信中であるとする。その後、携帯端末機Ｙがエリア２４と２６の境界付近の位置Ｐ１０に移動した際に、この位置Ｐ１０で受信レベルが最適なエリア３４にて第２の移動体通信システムの通話回線にチャネル切り替えを行った後、エリア３６内の位置Ｐ１２に移動して終話（通信終了）したとする。この際、エリア３６にエリア２６が重なっているので、携帯端末機Ｙでは、エリア３６または２６の待ち受けチャネルに切り替える動作が行われる。
【００２８】
このケースの場合、携帯端末機Ｙでは、信号判別部１４において無線部１２での受信信号が、通信状態における通信の終了を示す信号であると判別されるので、制御部１６において、記憶部１８に最終位置登録時に記憶された第１の移動体通信システムの周波数帯域が検出され、この第１の移動体通信システムの待ち受けチャネル、即ちエリア２６の待ち受けチャネルが優先的に選択される。
【００２９】
次に、最終位置登録時に第１の移動体通信システムの周波数帯域が記憶部１８に記憶された携帯端末機Ｚが、エリア２６内の位置Ｐ１４において待ち受け中に電源を切り（電源ＯＦＦ）、その後エリア２８内の位置Ｐ１６に移動し、ここで電源を投入（電源ＯＮ）して待ち受け中になったとする。この際、エリア２８にエリア３８が重なっているので、携帯端末機Ｚでは、エリア２８または３８の待ち受けチャネルに切り替える動作が行われる。
【００３０】
このケースの場合、携帯端末機Ｚでは、信号判別部１４において無線部１２での受信信号が、待ち受け状態における待ち受けエリアの変更を示唆する信号であると判別されるので、制御部１６において、記憶部１８に最終位置登録時に記憶された第１の移動体通信システムの周波数帯域が検出され、この第１の移動体通信システムの待ち受けチャネル、即ちエリア２８の待ち受けチャネルが優先的に選択される。
【００３１】
続いて、本実施形態にかかる携帯端末機の作用及び効果について説明する。本実施形態にかかる携帯端末機１０においては、電波で形成されるエリア２２〜４０の一部が重複した第１及び第２の移動体通信システム間で待ち受けチャネルを選択しながら通信を行う場合に、携帯端末機１０の記憶部１８に位置登録を行った移動体通信システムの周波数帯域を記憶し、制御部１６で、待ち受けチャネルの選択時に、記憶部１８に最終位置登録時に記憶された移動体通信システムの周波数帯域を検出し、この検出周波数帯域の移動体通信システムの待ち受けチャネルを優先的に選択するようにした。従って、携帯端末機１０が、通信の終了時や待ち受けエリアの変更時などに実行される待ち受けチャネルの選択を行う場合に、最終位置登録時に記憶された移動体通信システムの待ち受けチャネルを優先的に選択するので、通信の終了時や待ち受けエリアの変更時などの都度、新たに待ち受けを行うシステムに位置登録を行う動作を削減することができる。その結果、携帯端末機１０の移動体通信システム間の移行に伴う位置登録トラヒックを抑制することが可能となる。
【００３２】
また、第１及び第２の移動体通信システムが、異なる周波数帯域を使用し且つ同一通信方式を採用する小ゾーン構成移動体通信システムである場合でも、上記同様に、携帯端末機１０が、待ち受けチャネル選択時に、最終位置登録時に記憶された移動体通信システムの待ち受けチャネルを優先的に選択することによって、通信の終了時や待ち受けエリアの変更時などの都度、新たに待ち受けを行うシステムに位置登録を行う動作を削減することができるので、携帯端末機１０の移動体通信システム間の移行に伴う位置登録トラヒックを抑制することが可能となる。
【００３３】
また、第１及び第２の移動体通信システムが、異なる周波数帯域を使用し且つ異なる通信方式を採用する小ゾーン構成移動体通信システムである場合でも、上記同様に、携帯端末機１０が、待ち受けチャネル選択時に、最終位置登録時に記憶された移動体通信システムの待ち受けチャネルを優先的に選択することによって、通信の終了時や待ち受けエリアの変更時などの都度、新たに待ち受けを行うシステムに位置登録を行う動作を削減することができるので、携帯端末機１０の移動通信システム間の移行に伴う位置登録トラヒックを抑制することが可能となる。
【００３４】
最後に、本発明の実施形態にかかる待ち受けチャネル選択プログラム、および、当該待ち受けチャネル選択プログラムを記録したコンピュータ読み取り可能な記録媒体（以下、単に記録媒体という）について説明する。ここで、記録媒体とは、コンピュータのハードウェア資源に備えられている読み取り装置に対して、プログラムの記述内容に応じて、磁気、光、電気等のエネルギーの変化状態を引き起こして、それに対応する信号の形式で、読み取り装置にプログラムの記述内容を伝達できるものである。かかる記録媒体としては、例えば、磁気ディスク、光ディスク、ＣＤ−ＲＯＭ、コンピュータに内蔵されるメモリなどが該当する。
【００３５】
図３は、本発明の実施形態にかかる記録媒体の構成図である。記録媒体５０は、図３に示すように、プログラムを記録するプログラム領域５０ａを備えている。このプログラム領域５０ａには、待ち受けチャネル選択プログラム５２が記録されている。待ち受けチャネル選択プログラム５２は、コンピュータに、電波で形成されるエリアの一部が重複した複数の移動体通信システム間で待ち受けチャネルを選択しながら携帯端末機に通信を行わせる待ち受けチャネル選択プログラムであって、図３に示すように、処理を統括するメインモジュール５２ａと、位置登録を行った移動体通信システムの周波数帯域を記憶手段に記憶する記憶モジュール５２ｂと、待ち受けチャネルの選択時に、記憶手段において最終位置登録時に記憶された移動体通信システムの周波数帯域を検出し、この検出周波数帯域の移動体通信システムの待ち受けチャネルを優先的に選択する制御モジュール５２ｃとを備えて構成される。
【００３６】
ここで、記憶モジュール５２ｂ、制御モジュール５２ｃそれぞれを動作させることによって実現する機能は、上記携帯端末機１０の記憶部１８、制御部１６それぞれの機能と同様である。尚、この場合、上記携帯端末機１０の記憶部１８に記憶されていた移動体通信システムの周波数帯域は、記録媒体５０のデータ領域に格納されていても良いし、別の記録媒体に格納されていても良い。
【００３７】
図４は、記録媒体５０に記録された待ち受けチャネル選択プログラム５２を実行するためのコンピュータ（例えばサーバシステム）のシステム構成図であり、図５は、記録媒体５０に記録された待ち受けチャネル選択プログラム５２を実行するためのコンピュータの斜視図である。コンピュータ１００は、図４及び図５に示すように、読み取り装置１０２と、オペレーティングシステム（ＯＳ）を常駐させた作業用メモリ（ＲＡＭ）１０４と、表示手段であるディスプレイ１０６と、入力手段であるマウス１０８及びキーボード１１０と、通信手段である通信ユニット１１２と、待ち受けチャネル選択プログラム５２の実行等を制御するＣＰＵ１１４とを備えている。ここで、記録媒体５０が読み取り装置１０２に挿入されると、記録媒体５０に記録された情報が読み取り装置１０２からアクセス可能となり、記録媒体５０のプログラム領域５０ａに記録された光ファイバ選択プログラム５２が、コンピュータ１００によって実行可能となる。
【００３８】
上記読み取り装置１０２としては、記録媒体５０に対応して、フレキシブルディスクドライブ装置、ＣＤ−ＲＯＭドライブ装置、あるいは磁気テープドライブ装置などが用いられる。
【００３９】
また、携帯端末機では、記録媒体として、小型化を目的として、カード型半導体メモリチップ等が使用可能である。
【００４０】
以上に説明した携帯端末機及び共用移動体通信システムの待ち受けチャネル選択方法は、電波で形成されるエリアの一部が重複した複数の移動体通信システム間で待ち受けチャネルを選択しながら通信を行うに当たって、位置登録を行った移動体通信システムの周波数帯域を記憶し、待ち受けチャネルの選択時に、先の記憶で最終位置登録時に記憶された移動体通信システムの周波数帯域を検出し、この検出周波数帯域の移動体通信システムの待ち受けチャネルを優先的に選択する。従って、通信の終了時や待ち受けエリアの変更時などに実行される待ち受けチャネルの選択を行う場合に、最終位置登録時に記憶された移動体通信システムの待ち受けチャネルを優先的に選択するので、通信の終了時や待ち受けエリアの変更時などの都度、新たに待ち受けを行うシステムに位置登録を行う動作を削減することができる。その結果、携帯端末機の移動体通信システム間の移行に伴う位置登
録トラヒックを抑制することが可能となる。
【００４１】
また、異なる周波数帯域を使用し且つ同一通信方式を採用する複数の移動体通信システムにおいても、待ち受けチャネル選択時に、最終位置登録時に記憶された移動体通信システムの待ち受けチャネルを優先的に選択することによって、通信の終了時や待ち受けエリアの変更時などの都度、新たに待ち受けを行うシステムに位置登録を行う動作を削減することができる。その結果、携帯端末機の移動体通信システム間の移行に伴う位置登録トラヒックを抑制することが可能となる。
【００４２】
また、異なる周波数帯域を使用し且つ異なる通信方式を採用する複数の移動体通信システムにおいても、待ち受けチャネル選択時に、最終位置登録時に記憶された移動体通信システムの待ち受けチャネルを優先的に選択することによって、通信の終了時や待ち受けエリアの変更時などの都度、新たに待ち受けを行うシステムに位置登録を行う動作を削減することができる。その結果、携帯端末機の移動体通信システム間の移行に伴う位置登録トラヒックを抑制することが可能となる。
【００４３】
また、本発明の待ち受けチャネル選択プログラムおよび当該待ち受けチャネル選択プログラムを記録したコンピュータ読み取り可能な記録媒体は、当該プログラムをコンピュータに実行させ、電波で形成されるエリアの一部が重複した複数の移動体通信システム間で待ち受けチャネルを選択しながら携帯端末機に通信を行わせるに当たって、位置登録を行った移動体通信システムの周波数帯域を記憶し、待ち受けチャネルの選択時に、先の記憶で最終位置登録時に記憶された移動体通信システムの周波数帯域を検出し、この検出周波数帯域の移動体通信システムの待ち受けチャネルを優先的に選択する。従って、通信の終了時や待ち受けエリアの変更時などに実行される待ち受けチャネルの選択を行う場合に、最終位置登録時に記憶された移動体通信システムの待ち受けチャネルを優先的に選択するので、通信の終了時や待ち受けエリアの変更時などの都度、新たに待ち受けを行うシステムに位置登録を行う動作を削減することができる。その結果、携帯端末機の移動体通信システム間の移行に伴う位置登録トラヒックを抑制することが可能となる。
【図面の簡単な説明】
【００４４】
【図１】携帯端末機の構成図である。
【図２】共用移動体通信システムの構成図である。
【図３】記録媒体の構成図である。
【図４】コンピュータのシステム構成図である。
【図５】コンピュータの斜視図である。
【符号の説明】
【００４５】
１０…携帯端末機、１６…制御部、１８…記憶部
【図１】
2006050675.tif 000003
【図２】
2006050675.tif 000004
【図３】
2006050675.tif 000005
【図４】
2006050675.tif 000006
【図５】
2006050675.tif 000007